(57)【要約】【課題】記録中のコンテンツと関係のない情報をユーザに見せないで済むことができるようにする。【解決手段】本編＃２を見終わってCM＃２の再生が開始されたことからCM＃２もスキップさせようとしたが、現在の視聴時刻より後方に次のチャプタがまだ設定されていないためCM＃２をスキップさせることができない場合、番組の再生が一時的に停止されてチャプタの設定待ちの状態となり、次のチャプタが設定されるまでの間、記録中の番組と関連のある情報が表示される。記録中の番組と関連のある関連情報として、例えば、番組の記録済みの部分である本編＃１，＃２を構成する画像の中から選択された１フレームの画像が静止画として表示される。本発明は、テレビジョン受像機に接続される録画機器に適用することができる。【選択図】図４
2010141544.tif 000002
【特許請求の範囲】
【請求項１】
コンテンツを受信し、記録媒体に記録する記録手段と、
前記コンテンツの記録と並行して受信済みの部分を解析し、前記コンテンツの所定の位置にチャプタを設定する設定手段と、
前記記録媒体に記録された前記コンテンツを再生し、再生中の位置より後方にある次のチャプタの位置から再生することが指示された場合において、前記次のチャプタが前記設定手段によりまだ設定されていないとき、前記コンテンツの再生を停止し、前記コンテンツの関連情報を出力させる再生手段と
を備える記録再生装置。
【請求項２】
前記再生手段は、動画コンテンツである前記コンテンツを構成する画像のうちの再生済みの区間にある所定の画像を前記関連情報として静止画表示させる
請求項１に記載の記録再生装置。
【請求項３】
前記再生手段は、前記記録媒体に記録された前記コンテンツのうちの所定の区間を集めることによって前記コンテンツのダイジェストを生成し、生成した前記ダイジェストを前記関連情報として表示させる
請求項１に記載の記録再生装置。
【請求項４】
前記再生手段は、記録中の前記コンテンツの番組情報を前記関連情報として表示させる
請求項１に記載の記録再生装置。
【請求項５】
前記再生手段は、記録中の前記コンテンツの番組情報に含まれる単語をキーワードとしてWEB検索を行うことによって得られた情報を前記関連情報として表示させる
請求項１に記載の記録再生装置。
【請求項６】
前記再生手段は、前記コンテンツの再生停止位置より後方に所定の数のチャプタが設定された場合、前記関連情報の出力を終了し、前記次のチャプタの位置から前記コンテンツを再生する
請求項１に記載の記録再生装置。
【請求項７】
前記再生手段は、前記コンテンツの再生停止位置と、記録中の位置に所定の差がある場合、前記関連情報の出力を終了し、前記次のチャプタの位置から前記コンテンツを再生する
請求項１に記載の記録再生装置。
【請求項８】
コンテンツを受信し、記録媒体に記録し、
前記コンテンツの記録と並行して受信済みの部分を解析し、前記コンテンツの所定の位置にチャプタを設定し、
前記記録媒体に記録した前記コンテンツを再生し、再生中の位置より後方にある次のチャプタの位置から再生することが指示された場合において、前記次のチャプタをまだ設定していないとき、前記コンテンツの再生を停止し、前記コンテンツの関連情報を出力させる
ステップを含む記録再生方法。
【請求項９】
コンテンツを受信し、記録媒体に記録し、
前記コンテンツの記録と並行して受信済みの部分を解析し、前記コンテンツの所定の位置にチャプタを設定し、
前記記録媒体に記録した前記コンテンツを再生し、再生中の位置より後方にある次のチャプタの位置から再生することが指示された場合において、前記次のチャプタをまだ設定していないとき、前記コンテンツの再生を停止し、前記コンテンツの関連情報を出力させる
ステップを含む処理をコンピュータに実行させるプログラム。
【発明の詳細な説明】
【技術分野】
【０００１】
本発明は、記録再生装置、記録再生方法、およびプログラムに関し、特に、記録中のコンテンツと関係のない情報をユーザに見せないで済むことができるようにした記録再生装置、記録再生方法、およびプログラムに関する。
【背景技術】
【０００２】
近年販売等されているBlu-ray（商標） discレコーダなどの記録再生装置の中にはチャプタを自動的に設定する機能が搭載されているものがある。チャプタ自動設定機能によれば、例えば、記録対象になっている番組の受信、記録と並行して、受信済みの部分の映像や音声が解析され、チャプタを設定することが行われる。
【０００３】
図１は、チャプタ自動設定機能の概念を示す図である。
【０００４】
図１の例においては、番組の本編区間とCM区間の間にはシーンチェンジがあることと、CM区間では音声がステレオ音声になっていることに基づいてCM区間が検出され、本編区間とCM区間の境界位置にチャプタＣ１乃至Ｃ４が設定されている。CM検出については例えば特開２００２−１６８７３号公報に記載されている。
【０００５】
ユーザは、次のチャプタの位置からの再生を指示するときに操作されるリモートコントローラのボタンを押すことによって、例えば番組の先頭からチャプタＣ１の位置まで本編を視聴し終わった直後にチャプタＣ２の位置から本編を視聴することができる。以下、適宜、次のチャプタの位置からの再生を指示するときに操作されるリモートコントローラのボタンをスキップボタンという。
【０００６】
ところで、追いかけ再生という再生機能がある。追いかけ再生は、放送中の番組を記録しつつ、記録済みの部分を一時停止、早送り、巻き戻しなどの操作を行いながら視聴するできる機能であり、タイムシフト再生とも呼ばれる。
【０００７】
図２は、追いかけ再生の概念を示す図である。
【０００８】
図２の例においては、中段に示すように、１２時に放送が開始された４時間番組の記録（録画）が１２時から１６時までの間行われている。また、下段に示すように、番組の先頭から１３時に追いかけ再生が開始され、番組の放送が終了した後の時刻である１７時まで続けられている。１３時から１６時までの間、番組の記録と並行して再生が行われるから、ユーザは、番組の記録が終わる１６時まで待つことなく、番組の視聴を１３時に始めることができる。
【０００９】
このようなチャプタ自動設定機能と追いかけ再生機能を利用し、スキップボタンを押してCM区間をスキップしながら追いかけ再生を行う視聴形態が広く普及している。番組の記録が終わるまで待たずにほぼリアルタイムで本編区間だけを効率的に視聴することができることから、番組の放送時間帯に家にいたとしてもあえて一度記録し、このような形で視聴するといったことも行われている。
【００１０】
図３は、チャプタ自動設定機能と追いかけ再生機能を利用した視聴形態である効率視聴の概念を示す図である。
【００１１】
２時間番組であればCM区間が番組全体に約１０分間分挿入されていると想定される。番組の記録開始後、１０分程度経過してから追いかけ再生を開始し、CM区間になったらスキップボタンを押すということを続けることで、図３の下段に示すように本編区間だけを視聴することが可能になる。
【００１２】
特許文献１には、チャプタを使った番組の視聴について記載されている。
【特許文献１】特開２００６−２６２０９４号公報
【発明の開示】
【発明が解決しようとする課題】
【００１３】
番組に挿入されている実際のCM区間全体の時間は、番組の記録が終了するまで不明である。従って、上述したような効率視聴を番組の放送開始から十分に待たずに始め、スキップボタンを使って本編区間だけの視聴を進めると、視聴位置より後方にチャプタがまだ設定されていないといった状況になることがある。記録再生装置の性能やチャプタ自動設定機能のアルゴリズムによっても異なるが、映像や音声の解析が必要になるから、チャプタを設定可能な位置は記録中の位置から若干遅れた位置までになる。
【００１４】
チャプタがまだ設定されていない場合、本編区間だけの視聴を進めることができなくなる。ユーザは、それ以降の番組の部分に関して、放送されたものをそのまま視聴しなくてはならず、CMの内容が番組本編の内容と関係のないものであってもそのCMを見なければならなくなる。
【００１５】
それまで番組の本編区間だけを視聴してきたのに、例えば番組の終わりの方にきて本編の内容と関係のない区間を見なければならないことが不便だと感じるユーザも中にはいる。ここで、本編の内容と関係のない区間には、CM区間の他に、番組の宣伝の区間も含まれる。
【００１６】
本発明はこのような状況に鑑みてなされたものであり、記録中のコンテンツと関係のない情報をユーザに見せないで済むことができるようにするものである。
【課題を解決するための手段】
【００１７】
本発明の一側面の記録再生装置は、コンテンツを受信し、記録媒体に記録する記録手段と、前記コンテンツの記録と並行して受信済みの部分を解析し、前記コンテンツの所定の位置にチャプタを設定する設定手段と、前記記録媒体に記録された前記コンテンツを再生し、再生中の位置より後方にある次のチャプタの位置から再生することが指示された場合において、前記次のチャプタが前記設定手段によりまだ設定されていないとき、前記コンテンツの再生を停止し、前記コンテンツの関連情報を出力させる再生手段とを備える。
【００１８】
前記再生手段には、動画コンテンツである前記コンテンツを構成する画像のうちの再生済みの区間にある所定の画像を前記関連情報として静止画表示させることができる。
【００１９】
前記再生手段には、前記記録媒体に記録された前記コンテンツのうちの所定の区間を集めることによって前記コンテンツのダイジェストを生成し、生成した前記ダイジェストを前記関連情報として表示させることができる。
【００２０】
前記再生手段には、記録中の前記コンテンツの番組情報を前記関連情報として表示させることができる。
【００２１】
前記再生手段には、記録中の前記コンテンツの番組情報に含まれる単語をキーワードとしてWEB検索を行うことによって得られた情報を前記関連情報として表示させることができる。
【００２２】
前記再生手段には、前記コンテンツの再生停止位置より後方に所定の数のチャプタが設定された場合、前記関連情報の出力を終了させ、前記次のチャプタの位置から前記コンテンツを再生させることができる。
【００２３】
前記再生手段には、前記コンテンツの再生停止位置と、記録中の位置に所定の差がある場合、前記関連情報の出力を終了させ、前記次のチャプタの位置から前記コンテンツを再生させることができる。
【００２４】
本発明の一側面の記録再生方法またはプログラムは、コンテンツを受信し、記録媒体に記録し、前記コンテンツの記録と並行して受信済みの部分を解析し、前記コンテンツの所定の位置にチャプタを設定し、前記記録媒体に記録した前記コンテンツを再生し、再生中の位置より後方にある次のチャプタの位置から再生することが指示された場合において、前記次のチャプタをまだ設定していないとき、前記コンテンツの再生を停止し、前記コンテンツの関連情報を出力させるステップを含む。
【００２５】
本発明の一側面においては、コンテンツが受信され、記録媒体に記録される。また、前記コンテンツの記録と並行して受信済みの部分が解析され、前記コンテンツの所定の位置にチャプタが設定される。前記記録媒体に記録した前記コンテンツが再生され、再生中の位置より後方にある次のチャプタの位置から再生することが指示された場合において、前記次のチャプタがまだ設定されていないとき、前記コンテンツの再生が停止され、前記コンテンツの関連情報が出力される。
【発明の効果】
【００２６】
本発明の一側面によれば、記録中のコンテンツと関係のない情報をユーザに見せないで済む。
【発明を実施するための最良の形態】
【００２７】
図４は、本発明の一実施の形態に係る記録再生装置による番組の再生の例を示す図である。
【００２８】
この記録再生装置にはチャプタ自動設定機能と追いかけ再生機能が搭載されている。ユーザは、チャプタ自動設定機能と追いかけ再生機能を利用し、リモートコントローラに設けられるスキップボタンを押して例えばCM区間をスキップしながら追いかけ再生を行うことができる。記録再生装置により再生された番組の映像や音声は記録再生装置に接続されたテレビジョン受像機から出力される。
【００２９】
番組（コンテンツ）は、放送波を介して提供されるものであってもよいし、インターネットを介して提供されるものであってもよい。
【００３０】
図４の例においては、上段に示すように、記録対象の番組の現在記録中の時刻は、本編＃３の先頭の時刻から時間が若干経過した時刻である時刻ｔ１とされている。ここでは、番組の位置を時刻によって表している。
【００３１】
記録再生装置においては、記録対象の番組のうち、受信された部分が順次HDD(Hard Disk Drive)などの記録媒体に記録されるとともに、解析が行われ、ユーザの操作によらずに自動的にチャプタが設定される。
【００３２】
図１の例においては、番組の先頭から区間が始まる本編＃１と、本編＃１に続くCM＃１の間にチャプタＣ１が設定され、CM＃１と本編＃２の間にチャプタＣ２が設定されている。また、本編＃２と、本編＃２に続くCM＃２の間にチャプタＣ３が設定されている。
【００３３】
現在記録中の時刻は本編＃３中の時刻であり、CM＃２と本編＃３の境界の時刻ｔ２を既に経過しているが、時刻ｔ２付近の映像と音声の解析中であるためにこの時刻ｔ２にはまだチャプタが設定されていない。解析が終了したとき、時刻ｔ２にチャプタが新たに設定されることになる。
【００３４】
一方、下段に示すように、図４の例においてはユーザは本編＃１の記録が行われている途中で、記録済みの本編＃１の先頭から追いかけ再生を開始させている。また、ユーザは、本編＃１を見終わってCM＃１の再生が開始された直後にスキップボタンを押し、次のチャプタであるチャプタＣ２が設定されている本編＃２の先頭までスキップさせている。本編＃１に続けて本編＃２が再生されることになる。
【００３５】
これにより、ユーザは本編＃１と＃２の間に記録されているCM＃１を視聴しないで番組本編だけを視聴することができる。
【００３６】
また、図１の例においては、本編＃２を見終わってCM＃２の再生が開始されたことからCM＃２もスキップさせようとしたが、現在の視聴時刻より後方に次のチャプタがまだ設定されていないためCM＃２をスキップさせることができないものとされている。現在の視聴時刻である時刻ｔ３はCM＃２の先頭の直後の時刻である。
【００３７】
この場合、従来の装置によれば「チャプタがありません」などのメッセージが表示されてCM＃２の再生が続けられることになる。
【００３８】
これに対して、本発明の一実施の形態に係る記録再生装置によれば、番組の再生が一時的に停止されてチャプタの設定待ちの状態となり、例えば次のチャプタが設定されるまでの間、記録中の番組と関連のある情報が表示される。
【００３９】
記録中の番組と関連のある関連情報として、例えば、番組の記録済みの部分である本編＃１，＃２を構成する画像の中から選択された１フレームの画像が静止画として表示される。関連情報の例については後に詳述する。
【００４０】
関連情報の表示が続けられ、例えば、時刻ｔ３より後方の時刻ｔ２にチャプタＣ４が設定されたとき、関連情報の表示が終了され、チャプタＣ４から、すなわち本編＃３の先頭から、記録済みの番組の再生が自動的に再開される。
【００４１】
これにより、ユーザは本編＃２と＃３の間に記録されているCM＃２をほとんど視聴しないで番組本編だけを視聴することができる。また、CM＃２の内容が番組本編の内容と関係のないものである場合、CM＃２が再生されることによって番組本編に対する没頭感が損なわれてしまうことになるが、そのようなことを防ぐことができる。
【００４２】
記録再生装置側としては、番組本編と関係のない情報をユーザに見せないで済む。
【００４３】
以上のようにして番組の再生を行う記録再生装置の動作については後述する。
【００４４】
［記録再生装置の構成例］
図５は、記録再生装置１の構成例を示すブロック図である。
【００４５】
図５に示すように、記録再生装置１は、受信部１１、記録部１２、HDD１３、再生部１４、解析部１５、チャプタ設定部１６、再生位置判定部１７、関連情報再生判定部１８、および入力管理部１９から構成される。
【００４６】
図５に示す構成のうちの例えば再生部１４、解析部１５、チャプタ設定部１６、再生位置判定部１７、関連情報再生判定部１８は、記録再生装置１に搭載されるCPUにより所定のプログラムが実行されることによって実現される。
【００４７】
受信部１１は、放送波やインターネットを介して提供された記録対象の番組を受信し、出力する。受信部１１から出力された番組は記録部１２と解析部１５に供給される。放送中、または放送予定の番組の番組情報が記述されたEPG(Electronic Program Guide)データや、データ放送によって提供された番組情報なども受信部１１により受信される。
【００４８】
記録部１２は、記録対象の番組を所定のフォーマットで圧縮し、圧縮した番組や受信部１１により取得された番組情報をHDD１３に記録させる。
【００４９】
再生部１４は、HDD１３に記録されている番組を入力管理部１９から供給される信号に従って再生し、再生して得られた番組の映像と音声を記録再生装置１に接続されるテレビジョン受像機から出力させる。入力管理部１９からは、追いかけ再生の開始を指示する信号などが供給される。
【００５０】
また、再生部１４は、番組の再生時刻を再生位置判定部１７による制御に従って切り替え、再生区間をスキップする。例えばリモートコントローラに設けられるスキップボタンがユーザにより操作されたとき、再生位置判定部１７からは、現在の再生時刻より後方に設定されている次のチャプタの時刻が通知される。
【００５１】
再生部１４は、関連情報再生判定部１８による制御に従って関連情報を出力することも行う。例えば関連情報を出力することが関連情報再生判定部１８により指示された場合、再生部１４は、それまで行っていた追いかけ再生を停止し、関連情報をテレビジョン受像機から出力させる。
【００５２】
解析部１５は、受信部１１により受信された番組の映像と音声を解析し、解析結果をチャプタ設定部１６に出力する。上述した例の場合、映像に現れるシーンチェンジや、モノラルからステレオ、ステレオからモノラルの音声モードの切り替わりなどが解析部１５により検出され、解析結果として出力される。
【００５３】
チャプタ設定部１６は、解析部１５による番組の解析結果に基づいて例えば番組本編とCMの境界の時刻にチャプタを設定し、設定済みのチャプタの時刻を再生位置判定部１７と関連情報再生判定部１８に出力する。チャプタ設定部１６により設定されたチャプタの時刻はHDD１３にも適宜供給され、番組と対応付けて記録される。
【００５４】
例えば、１５秒の整数倍の時間の区間の開始時刻と終了時刻の双方でシーンチェンジが検出され、開始時刻で音声モードがモノラルからステレオに、終了時刻でステレオからモノラルに切り替わったことが検出された場合、その区間がCM区間として判断される。
【００５５】
再生位置判定部１７は、チャプタ設定部１６により設定されたチャプタと入力管理部１９から供給される信号に基づいて再生位置を特定し、特定した再生位置を表す時刻を再生部１４と関連情報再生判定部１８に出力する。入力管理部１９からは、次のチャプタまでスキップすることを指示する信号が適宜供給される。
【００５６】
例えば、再生位置判定部１７は、次のチャプタまでスキップすることが指示された場合において、現在の再生時刻の後方に次のチャプタが既に設定されている場合、次のチャプタの時刻を再生部１４に出力し、その時刻から再生を開始させる。
【００５７】
関連情報再生判定部１８は、チャプタ設定部１６により設定されたチャプタと再生位置判定部１７により特定された再生位置に基づいて、番組の追いかけ再生を一時停止して関連情報を再生するか否かを判定する。関連情報再生判定部１８は、関連情報を再生すると判定した場合、そのことを表す情報を再生部１４に出力する。
【００５８】
入力管理部１９は、リモートコントローラなどを用いて行われるユーザの操作を受信し、ユーザの入力に応じて、追いかけ再生を指示する信号を再生部１４に出力し、次のチャプタまでスキップすることを指示する信号を再生位置判定部１７に出力する。
【００５９】
ユーザによる操作がリモートコントローラを用いて行われるのではなく、記録再生装置１の筐体に設けられたボタンや、記録再生装置１とネットワークを介して接続される外部機器を用いて行われるようにしてもよい。
【００６０】
［記録再生装置の動作］
ここで、以上のような構成を有する記録再生装置１の動作について説明する。
【００６１】
はじめに、図６のフローチャートを参照して、番組を記録する記録再生装置１の処理について説明する。
【００６２】
図６の処理は、記録対象の番組の放送が続けられている間繰り返し行われる。
【００６３】
ステップＳ１において、受信部１１は記録対象の番組を受信する。
【００６４】
ステップＳ２において、記録部１２は、記録対象の番組を所定のフォーマットで圧縮し、圧縮した番組をHDD１３に記録させる。
【００６５】
ステップＳ３において、解析部１５は、受信された番組の映像と音声を解析し、上述したような解析結果を出力する。
【００６６】
ステップＳ４において、チャプタ設定部１６は、番組の解析結果に基づいてチャプタを設定する。その後、ステップＳ１に戻り、以上の処理が繰り返される。
【００６７】
次に、図７のフローチャートを参照して、追いかけ再生を行う記録再生装置１の処理について説明する。
【００６８】
図７の処理は、記録中の番組の追いかけ再生がユーザにより指示されたときに図６の処理と並行して行われる。
【００６９】
ステップＳ１１において、再生部１４は、記録中の番組の記録済みの部分の再生を開始する。
【００７０】
ステップＳ１２において、再生位置判定部１７は、ユーザによりスキップボタンが押され、次のチャプタまでスキップすることが指示されたか否かを入力管理部１９から供給される信号に基づいて判定する。
【００７１】
スキップボタンが押されていないとステップＳ１２において判定された場合、ステップＳ１１に戻り、記録済みの部分の再生が時系列順に続けられる。
【００７２】
一方、スキップボタンが押されたとステップＳ１２において判定された場合、ステップＳ１３において、関連情報再生判定部１８は、スキップ先のチャプタがあるか否かを判定する。現在の再生時刻より後方にチャプタが設定されている場合、スキップ先のチャプタがあると判定され、設定されていない場合、スキップ先のチャプタがないと判定される。
【００７３】
ステップＳ１３においてスキップ先のチャプタがないと判定された場合、ステップＳ１４において、再生部１４は関連情報を表示させる。スキップ先のチャプタがないと判定された場合、関連情報再生判定部１８から再生部１４に対して、関連情報を表示することが指示される。
【００７４】
ステップＳ１５において、関連情報再生判定部１８は、スキップ先となるチャプタの設定が完了したか否かを判定する。チャプタが設定されたとき、そのチャプタの時刻がチャプタ設定部１６から再生位置判定部１７と関連情報再生判定部１８に対して供給される。
【００７５】
スキップ先となるチャプタの設定が完了していないとステップＳ１５において判定された場合、ステップＳ１４に戻り、関連情報の表示が再生部１４により続けられる。
【００７６】
一方、スキップ先となるチャプタの設定が完了したとステップＳ１５において判定された場合、ステップＳ１６において、再生部１４は関連情報の表示を終了させる。
【００７７】
スキップ先となるチャプタの設定が完了したとステップＳ１５において判定された場合、関連情報再生判定部１８から再生部１４に対して、関連情報の表示を終了することが指示される。また、追いかけ再生の再開位置を新たに設定されたチャプタの時刻とすることが再生位置判定部１７により特定され、特定された時刻が再生部１４に対して供給される。
【００７８】
ステップＳ１７において、再生部１４は、スキップ先となるチャプタの時刻まで再生位置をスキップさせ、番組の追いかけ再生を開始する。その後、ステップＳ１１に戻り以上の処理が繰り返される。なお、ステップＳ１３においてスキップ先のチャプタがあると判定された場合も同様に、ステップＳ１７において再生位置がスキップされ、追いかけ再生が行われる。
【００７９】
以上の処理により、記録中のコンテンツと関係のない情報をユーザに見せないで済む。
【００８０】
［関連情報の例］
以上においては、追いかけ再生によって再生済みの番組本編の中から選択された１フレームの画像が表示されるものとしたが、番組本編と関係のある情報であれば、どのような情報が関連情報として表示されるようにしてもよい。
【００８１】
例えば、スキップボタンが押された時刻を含む区間の直前のチャプタの直前にある１フレームの画像が静止画表示されるようにしてもよい。スキップボタンの押された時刻が、CMが開始された直後の時刻である場合、直前のチャプタ、すなわち、そのCMの先頭に設定されているチャプタの直前にある、本編の最後の１フレームの画像が表示されることになる。
【００８２】
また、追いかけ再生によって再生済みの番組本編のダイジェストが関連情報として表示されるようにしてもよい。この場合、例えば、それまでに再生されたそれぞれの本編区間から所定の区間が集められて再生部１４によりダイジェスト番組が生成され、再生される。動画の関連情報であるダイジェスト番組は、例えば先頭から所定の時間分の区間がそれぞれの本編区間から集められることによって生成される。
【００８３】
関連情報としてダイジェスト番組の再生が行われている最中にリモートコントローラの再生停止ボタンが押された場合、ダイジェスト番組の再生だけが停止されるようにしてもよい。また、タイトル一覧表示ボタンが押された場合、ダイジェスト番組の再生が停止され、記録済みの番組の一覧が表示されるようにしてもよい。リモートコントローラには、再生中の番組の停止を指示するときに操作される再生停止ボタンや、記録済みの番組の一覧を表示させるときに操作されるタイトル一覧表示ボタンなども設けられる。
【００８４】
記録対象になっている番組と同期してデータ放送によって提供された、記録対象の番組の出演者の情報やあらすじの情報などが関連情報として表示されるようにしてもよい。
【００８５】
また、EPGデータが取得されており、記録再生装置１がインターネットに接続されている場合、記録対象の番組の番組情報に含まれるタイトル名や出演者の名前などに基づいてWEB検索を行うことによって得られたWEBページが表示されるようにしてもよい。
【００８６】
本編と関係がない可能性もあるが、記録対象の番組の受信に用いられているチューナ以外のチューナによって受信されている番組の映像や、他のチューナを使って記録している最中の番組の映像が表示されるようにしてもよい。この場合、記録再生装置１には複数のチューナが設けられることになる。
【００８７】
関連情報として表示される情報がテキスト、静止画像である場合、それらの情報が一時停止中の本編の映像に重畳して表示されるようにすることも可能である。
【００８８】
［追いかけ再生の再開の契機］
以上においては、次のチャプタの生成が完了したときに関連情報の表示が終了され、追いかけ再生が再開されるものとしたが、他のタイミングで追いかけ再生が再開されるようにしてもよい。
【００８９】
図８は、追いかけ再生の再開のタイミングについて示す図である。
【００９０】
図８の例においては、番組の記録開始時刻が時刻ｔ１１、現在再生中の時刻が時刻ｔ１２、現在記録中の時刻が時刻ｔ１３、番組の記録終了の予定時刻が時刻ｔ１４とされている。番組の記録終了の予定時刻はEPGデータから取得されたものである。EPGデータとして提供される番組情報には、それぞれの番組の情報として、出演者やあらすじなどの情報の他に、放送開始時刻、放送終了時刻の情報も含まれている。
【００９１】
関連情報が表示されている場合、現在再生中の時刻である時刻ｔ１１は番組の追いかけ再生が停止された時刻を表す。
【００９２】
また、記録対象の番組の放送中に、CM＃１乃至＃５が順番に所定の間隔で放送されるものとされている。時刻ｔ１１からCM＃１の開始時刻までの時間がａで表され、CM＃１の終了時刻からCM＃２の開始時刻までの時間がｂで表され、CM＃２の終了時刻からCM＃３の開始時刻までの時間がｃで表されている。時刻ｔ１３から時刻ｔ１４までの時間がｄで表されている。
【００９３】
さらに、時刻ｔ１１から時刻ｔ１２までの時間がｅで表され、時刻ｔ１２から時刻ｔ１３までの時間がｈで表され、時刻ｔ１１から時刻ｔ１４までの時間がｋで表されている。CM＃１乃至＃５のうちの記録済みのCMであるCM＃１乃至＃３の時間はそれぞれｇ，ｉ，ｊで表されている。
【００９４】
追いかけ再生を再開する条件は例えば次のように表される。
【００９５】
条件１：閾値＜ｈ
【００９６】
この場合、現在再生中の時刻と現在記録中の時刻の差が閾値を超えたタイミングで追いかけ再生が再開される。
【００９７】
条件２：閾値＜ｈ−ｉ−ｊ
【００９８】
この場合、本編区間の時間だけが上の条件１の差として考慮される。現在再生中の時刻から現在記録中の時刻までの時間から、その時間に含まれるCM区間の時間を除いた時間が閾値を超えたタイミングで追いかけ再生が再開される。
【００９９】
条件３：閾値＜ｈ＋ｄ
【０１００】
この場合、現在再生中の時刻から番組の記録終了の予定時刻までの時間が閾値を超えたタイミングで追いかけ再生が再開される。
【０１０１】
条件４：閾値＜ｈ−ｉ−ｊ＋ｄ
【０１０２】
この場合、記録中の時刻までの区間においては本編区間の時間だけが上の条件３のｄに加算する時間として考慮される。現在再生中の時刻から番組の記録終了の予定時刻までの時間から、記録済みであるが未再生のCM区間の時間を除いた時間が閾値を超えたタイミングで追いかけ再生が再開される。
【０１０３】
条件５：閾値＜ｈ−ｉ−ｊ＋ｄ＊（ｅ−ｇ）／ｇ
【０１０４】
この場合、追いかけ再生済みの区間に含まれるのと同じ割合で、これから記録される区間にもCMが含まれるものと推測された上で未記録区間に含まれる本編区間の時間が求められ、上の条件４のｄの値の替わりに用いられる。
【０１０５】
条件６：閾値＜ｈ−ｉ−ｊ＋（ｄ−（ｋ＊Ｃ−ｉ−ｊ−ｇ））
【０１０６】
Ｃは、図９に示すように一定時間の番組に含まれる本編以外の割合（％）を表す。図９に示すように、民間の放送局が放送する番組の基準として、５分以内の番組であればCMなどの時間が１分００秒を超えないようにすることなどが規定されている。
【０１０７】
条件７：閾値＜ｈに含まれるチャプタ数
【０１０８】
この場合、現在再生中の時刻から現在記録中の時刻までの時間に閾値を超える数のチャプタが設定されたタイミングで追いかけ再生が再開される。
【０１０９】
条件８：閾値＜ｈ＋ｄに含まれるチャプタ数
【０１１０】
この場合、現在再生中の時刻から記録終了の予定時刻までの時間に閾値を超える数のチャプタが設定されたタイミングで追いかけ再生が再開される。
【０１１１】
このように、追いかけ再生を様々なタイミングで再開することが可能である。例えば、条件１や条件７の閾値として大きな値（時間、チャプタ数）を設定しておくことにより、追いかけ再生が何度も停止され、関連情報がその都度表示されるといったようなことを防ぐことが可能になる。
【０１１２】
また、以上においては、番組の本編とCMの境界位置にチャプタが設定され、CMをスキップさせて追いかけ再生を行う場合について説明したが、チャプタの設定される位置はこの位置に限られない。
【０１１３】
例えば、本編区間中に設定されたチャプタを使ってスキップさせて追いかけ再生を行う場合にも同様に、スキップボタンが押されたときに次のチャプタが設定されていないときには追いかけ再生が停止され、関連情報の表示が開始される。
【０１１４】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または汎用のパーソナルコンピュータなどに、プログラム記録媒体からインストールされる。
【０１１５】
図１０は、上述した一連の処理をプログラムにより実行するコンピュータのハードウェアの構成例を示すブロック図である。
【０１１６】
CPU(Central Processing Unit)５１、ROM(Read Only Memory)５２、RAM(Random Access Memory)５３は、バス５４により相互に接続されている。
【０１１７】
バス５４には、さらに、入出力インタフェース５５が接続されている。入出力インタフェース５５には、キーボード、マウスなどよりなる入力部５６、ディスプレイ、スピーカなどよりなる出力部５７が接続される。また、バス５４には、ハードディスクや不揮発性のメモリなどよりなる記憶部５８、ネットワークインタフェースなどよりなる通信部５９、リムーバブルメディア６１を駆動するドライブ６０が接続される。
【０１１８】
以上のように構成されるコンピュータでは、CPU５１が、例えば、記憶部５８に記憶されているプログラムを入出力インタフェース５５及びバス５４を介してRAM５３にロードして実行することにより、上述した一連の処理が行われる。
【０１１９】
CPU５１が実行するプログラムは、例えばリムーバブルメディア６１に記録して、あるいは、ローカルエリアネットワーク、インターネット、デジタル放送といった、有線または無線の伝送媒体を介して提供され、記憶部５８にインストールされる。
【０１２０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２１】
本発明の実施の形態は、上述した実施の形態に限定されるものではなく、本発明の要旨を逸脱しない範囲において種々の変更が可能である。
【図面の簡単な説明】
【０１２２】
【図１】チャプタ自動設定機能の概念を示す図である。
【図２】追いかけ再生の概念を示す図である。
【図３】チャプタ自動設定機能と追いかけ再生機能を利用した視聴形態である効率視聴の概念を示す図である。
【図４】本発明の一実施の形態に係る記録再生装置による番組の再生の例を示す図である。
【図５】記録再生装置の構成例を示すブロック図である。
【図６】記録再生装置の記録処理について説明するフローチャートである。
【図７】記録再生装置の追いかけ再生処理について説明するフローチャートである。
【図８】追いかけ再生の再開のタイミングについて示す図である。
【図９】一定時間の番組に含まれる本編以外の割合を表す図である。
【図１０】コンピュータの構成例を示すブロック図である。
【符号の説明】
【０１２３】
１  記録再生装置，  １１  受信部，  １２  記録部，  １３  HDD，  １４  再生部，  １５  解析部，  １６  チャプタ設定部，  １７  再生位置判定部，  １８  関連情報再生判定部，  １９  入力管理部
【図１】
2010141544.tif 000003
【図２】
2010141544.tif 000004
【図３】
2010141544.tif 000005
【図４】
2010141544.tif 000006
【図５】
2010141544.tif 000007
【図６】
2010141544.tif 000008
【図７】
2010141544.tif 000009
【図８】
2010141544.tif 000010
【図９】
2010141544.tif 000011
【図１０】
2010141544.tif 000012